(57)【要約】【課題】番組を視聴することができる視聴装置と番組を録画することができる録画装置との接続において、視聴装置のリモコン、ＧＵＩなどに視聴している番組を録画する釦もしくは項目があったとしても録画釦を押下してもそれより録画装置の電源が自動的に立ち上がり、録画が開始されるまで録画できていない部分があるので番組の頭かけが発生すること。【解決手段】番組を視聴することができる視聴機器と番組を録画することができる録画機器との接続において、視聴機器で番組を視聴している時、選局するたびに視聴機器から録画機器にその番組情報を送ることにより、録画機器はスタンバイ状態でも事前に視聴機器で視聴している番組を追従し選局することができ、釦１つで早急に録画またはポーズライブを行う場合においても番組の頭かけを防ぐことができる。【選択図】図１
2011023773.tif 000002
【特許請求の範囲】
【請求項１】
番組を視聴することができる視聴装置と番組を録画することができる録画装置との間の録画制御方法において、ユーザが視聴装置で番組を視聴している時、視聴装置側のチューナで番組を選局する毎に、該視聴装置が該録画装置に該番組の情報を送信する送信ステップと、
該録画装置が、前記送信ステップで送信された番組の情報を受信し、該録画装置側のチューナで該番組を選局する選局ステップと、
ユーザが該視聴装置側のチューナで選局し、最終的に視聴している番組の録画指示を入力する入力ステップと、
前記入力ステップで録画指示が入力された場合に、該録画装置が、前記選局ステップで最終的に選局された番組を録画する録画ステップと
を有することを特徴とする録画制御方法。
【請求項２】
前記選局ステップは、該録画装置がスタンバイ状態の時に行なわれ、前記録画ステップは、該録画装置がスタンバイ状態から電源ＯＮ状態に遷移して行われることを特徴とする、請求項１に記載の録画制御方法。
【請求項３】
請求項１または請求項２に記載の録画制御方法により、録画制御される録画システム。
【請求項４】
録画装置との間で送受信する視聴装置において、
該視聴装置側及び該録画装置側の各種コードが入力される入力部と、
該視聴装置側のコードが前記入力部に入力された場合に、該コードが選局操作コードであるかどうかを判断する制御部と、
前記制御部で該選局操作コードであると判断した場合に、該録画装置へ該選局操作コードを送信する送信部とを
備えることを特徴とする視聴装置。
【請求項５】
視聴装置との間で送受信する録画装置において、
該視聴装置から録画装置側の各種コードを受信する受信部と、
前記受信部で録画装置側の番組操作コードが受信された場合に、受信した番組操作コードに応じて録画装置側のチューナ操作を行う処理部と、
前記処理部を制御する為に選局部分に関係する回路に電源を供給する制御部と
を備えることを特徴とする録画装置。
【請求項６】
視聴装置との間で送受信する録画装置において、
該視聴装置から録画装置側の各種コードを受信する受信部と、
前記受信部で録画装置側の録画操作コードが受信された場合に、録画装置の各部に電源を供給し、録画装置側の番組情報を用いて録画を開始する制御部を
備えることを特徴とする録画装置。
【請求項７】
請求項４に記載の視聴装置と、請求項５または請求項６に記載の録画装置との間で送受信する録画システム。
【発明の詳細な説明】
【技術分野】
【０００１】
本発明は、視聴している番組を録画する為のものである。
【背景技術】
【０００２】
一般にＴＶは、ＴＶ放送を受信し、視聴するだけでなく、ＶＴＲ（Ｖｉｄｅｏ  Ｔａｐａｇｅ  Ｒｅｃｏｒｄｅｒ）やＤＶＤレコーダのようなＤＶＲ（Ｄｉｇｉｔａｌ  Ｖｉｄｅｏ  Ｒｅｃｏｒｄｅｒ）を接続し、それらの機器で視聴している番組を録画することができる。そのため、ＴＶにはＴＶ放送を受信するためのアンテナ端子に加えて、一個もしくは複数個の外部入力端子が備えられていることが多く、また録画装置もＴＶ放送を受信し録画する為のアンテナ端子に加えて、一個もしくは複数個の外部入力端子が備えられていることが多い。そしてユーザは目的に応じて、これらの入力をリモコンや本体の入力切換釦などで切り替えることができるようになっている。
【０００３】
従来のＴＶとＤＶＲなどの装置との接続において、ＴＶなどの視聴装置を用いて番組を視聴している場合、視聴装置のリモコン、本体、及びＧＵＩなどにより操作一つで録画装置を自動的に立上げ視聴装置にて視聴している番組を簡単に録画することが可能となった。
【０００４】
その結果、視聴している視聴装置のリモコンから録画するための録画装置のリモコンに持ち替えて録画装置の電源を立上げ選局しなおす煩わしさを解決することできた。
【０００５】
なお、本発明に関連する先行技術として以下のものがある（例えば、特許文献１参照。）。
【特許文献１】特許第３６４７１５３号公報
【発明の開示】
【発明が解決しようとする課題】
【０００６】
解決しようとする問題点は、番組を視聴することができる視聴装置と番組を録画することができる録画装置との接続において、視聴装置で番組を視聴している時に番組を録画しようとした場合、ユーザは録画装置の電源を立上げ、選局釦で番組を視聴装置に合わせて最終的に録画釦を押下、もしくは例えば視聴装置のリモコン、本体、ＧＵＩなどに視聴している番組を録画する釦もしくは項目があったとしても録画釦を押下してもそれより録画装置の電源が自動的に立ち上がり、録画が開始されるまで録画できていない部分があるので番組の頭かけが発生していた点である。
【課題を解決するための手段】
【０００７】
前記従来の課題を解決する為には、番組を視聴することができる視聴装置と番組を録画することができる録画装置において、それが１つもしくは複数の接続媒体を用いて接続しており、また、接続媒体を通してコマンドを視聴装置と録画装置との間で送受信するシステムにおいて、ユーザは視聴装置でアンテナから受信する放送信号の番組を視聴している状態において視聴装置のリモコンもしくは本体の釦を用いて、選局切換えキー（チャンネル  上／下、数字キーなど）により視聴している番組を切り換えることが出来、番組を切り換える毎にチューナに関する情報を取得し、その情報をコマンド入力Ｉ／Ｆへコマンドデータの転送を行う。また制御部は、受信した録画コマンドも判断し、録画コマンドが押下されたタイミングで録画コマンド及び番組情報のコマンドデータもコマンド入出力Ｉ／Ｆへ送信する。
【０００８】
そして録画装置は電源がスタンバイ状態の場合、ユーザからの見た目は、録画装置はスタンバイ状態であるが、コマンド入出力Ｉ／Ｆよりコマンドデータを受信した場合、制御部はそれが選局に関係するコマンドデータと判断した場合、録画装置はユーザからの見た目はスタンバイ状態を保持するが、内部的には制御部より通常スタンバイ時は電源的にＯＦＦである録画機能に関係する全ての機能（データ処理部、アンテナ、チューナ、外部入力、スイッチ、ＨＤＤ／ＤＶＤ）を起動させる。
【０００９】
そしてコマンド入出力Ｉ／Ｆより取得した視聴装置の番組情報を元に、制御部はチューナを制御し視聴装置と同番組を選局しデータ処理部にて番組の映像／音声を生成する。
【００１０】
そして最後に常に視聴装置は録画装置の番組情報を受信及び選局することにより突然録画釦を押下されても早急に録画装置の見た目をＯＮにし更に録画を開始する制御を備えたシステムである。
【発明の効果】
【００１１】
本発明の視聴装置と録画装置との接続における録画制御方法、その方法を用いた装置、及びシステムは、視聴装置で視聴している番組を録画しようとした場合、ユーザは録画装置の電源を立上げ、選局釦で番組を視聴装置に合わせる必要がなく、ユーザは録画装置の状態を意識せず、録画釦一つで録画することが可能であり、録画装置に対して録画前に事前に電源を立上げる必要性がなくなり、また、事前に自動で視聴装置は録画装置に対して視聴している番組情報を送信するので録画装置は常に視聴している番組を選局しており、録画時の頭かけも防ぐことができる。よって本発明は、視聴機器で視聴している状態で、突如録画したい場合でも接続された録画装置を意識せず録画釦で録画を開始することができ、また頭かけも防ぐことができる利点がある。
【発明を実施するための最良の形態】
【００１２】
以下に、本発明の実施形態を、図面を参照して説明する。
【００１３】
（実施の形態）
図１は、本発明装置の実施の形態における、視聴装置と録画装置の構成図である。１０１は視聴装置、１０２はリモコンコードもしくはその視聴装置に存在する釦等により動作信号を受信するユーザ操作部、１０３はユーザ操作部で受信したリモコンコードを制御する制御部、１０４はコマンドデータを伝送するコマンド入出Ｉ／Ｆ、１０５は映像／音声／メニューデータ等を受信するデータ入力Ｉ／Ｆ、１０６は入力された映像／音声／メニューデータ等を処理するデータ処理部、１０７はアンテナ、１０８はアンテナから受信した放送信号を制御するチューナ、１０９は外部からの映像／音声／メニューデータ等を入力する外部入力、１１０はアンテナからの入力信号や外部入力からの入力信号を切換えるスイッチ、１１１は映像／音声／メニューデータを表示する画面表示部である。
【００１４】
また、２０１は録画装置であり、２０２はリモコンコードもしくはその録画装置に存在する釦等により動作信号を受信するユーザ操作部、２０３はユーザ操作部で受信したリモコンコードを制御する制御部、２０４はコマンドデータを伝送するコマンド入出力Ｉ／Ｆ、２０５は映像／音声／メニューデータ等を送信するデータ出力Ｉ／Ｆ、２０６は出力したい映像／音声／メニューデータ等を処理するデコーダ処理部、２０７はアンテナ、２０８はアンテナから受信した放送信号を制御するチューナ、２０９は外部からの映像／音声／メニューデータ等を入力する外部入力、２１０はアンテナからの入力信号や外部入力からの入力信号を切換えるスイッチ、２１１はアンテナもしくは外部入力から受信した映像／音声／データ等を記録するＨＤＤ／ＤＶＤである。
【００１５】
また、表示装置と録画装置とを接続している３０１はコマンドデータを送信するコマンド用ケーブルであり、３０２は映像／音声／メニューデータを送信するデータ用ケーブルを表している。
【００１６】
また、図２は、本発明の視聴装置と録画装置の接続における選局及び録画制御方法を表すフローチャートである。図１と図２を用いて、本発明の動作について説明する。まず１０１の視聴装置について説明する。ユーザは視聴装置でアンテナから受信する放送信号の番組を視聴している状態において視聴装置のリモコンもしくは本体の釦を用いて、選局切換えキー（チャンネル  上／下、数字キーなど）により視聴している番組を切り換えることが出来る。そしてユーザ操作部１０２はそのキーの指示を受信し、受信したキーの内容を制御部１０３に連絡する。
今回の場合、視聴装置は視聴装置のアンテナ１０７からチューナ１０８経由で受信した信号を用いる為、スイッチ１１０の入力はチューナ１０８に切替わる制御を行い、データ処理部１０６は視聴装置側で視聴している番組の映像／音声を構成し、画面表示部１１１で表示を行う。
【００１７】
そして制御部１０３は、受信したキーの内容を制御するだけでなくその受信したキーの内容が選局に関係する場合、チューナ部１０８よりチューナに関する情報を取得し、その情報をコマンド入力Ｉ／Ｆ１０４へコマンドデータの転送を行う。またそのコマンドデータの転送のタイミングはコマンド用ケーブル３０１で接続された録画装置の状態に関係なく視聴装置で番組が切替わったタイミングもしくは電源起動のタイミングで常にコマンドデータを行う。
【００１８】
また制御部１０３は、ユーザ操作部１０２から受信した録画コマンドも判断し、録画コマンドが押下されたタイミングで録画コマンド及び番組情報のコマンドデータもコマンド入出力Ｉ／Ｆへ送信する。
【００１９】
次に２０１の録画装置について説明する。録画装置は電源がスタンバイ状態の場合、ユーザからの見た目は、録画装置はスタンバイ状態であるが、コマンド入出力Ｉ／Ｆ２０４よりコマンドデータを受信した場合、制御部２０３はそれが選局に関係するコマンドデータと判断した場合、録画装置はユーザからの見た目はスタンバイ状態を保持するが、内部的には制御部２０３より通常スタンバイ時は電源的にＯＦＦである録画機能に関係する全ての機能（データ処理部２０６、アンテナ２０７、チューナ２０８、外部入力２０９、スイッチ２１０、ＨＤＤ／ＤＶＤ２１１）を起動させる。そしてコマンド入出力Ｉ／Ｆ２０４より取得した視聴装置の番組情報を元に、制御部２０３はチューナ２０８を制御し視聴装置と同番組を選局しデータ処理部２０６にて番組の映像／音声を生成する。そして常に視聴装置１０１は録画装置１０２の番組情報を受信及び選局することにより突然録画釦を押下されても早急に録画装置２０１の見た目をＯＮにし更に録画を開始する制御となる。
【００２０】
また、図２のフォローチャートでは、まず視聴装置にて受信したコードが選局もしくは録画に関するコードであるか判断を行い（４０１）、それが選局コードの場合（４０２）、視聴装置側の選局処理を行い（４０３）、ユーザの視聴したい番組を選局する。またそのコードが選局もしくは録画コードの場合、接続された録画装置側とのコマンドデータが転送可能な状態であれば（４０４）、その選局に関するコマンドデータを録画装置へ送信する。次に、録画装置にて視聴装置より受信したコードが選局もしくは録画コードの場合（５０１）、録画装置の状態を確認し、その録画装置がスタンバイ状態であれば（５０２）次のステップへ進む。そしてその受信したコードが選局コードの場合、録画装置側の選局処理を行い（５０４）内部的に視聴装置と同じ番組を選局している状態にする。またその受信したコードが録画コードの場合、電源起動処理（５０６）により録画装置の状態をスタンバイより電源ＯＮ状態し、録画処理（５０７）にて録画を実行する制御となる。
【００２１】
図３は、本発明装置の実施の形態における、番組を選局した場合の視聴装置と録画装置のコマンドデータの送信内容である。つまり視聴装置側で選局された場合、選局情報を含むコマンドデータを録画装置側に送信し、録画装置は録画装置側のチューナ情報（ＣＨ選局、音声情報）を視聴装置と同じになるよう選局する。
【産業上の利用可能性】
【００２２】
本発明にかかる選局制御方法、その方法を用いた装置、及びシステムは、選局制御が必要となる視聴装置、前記視聴装置に接続された録画装置、及び前記視聴装置と前記録画装置が接続されたシステムにおいて広く適用できる。
【図面の簡単な説明】
【００２３】
【図１】本発明の実施の形態における番組制御及び録画制御を備えた視聴装置と録画装置の構成図
【図２】本発明の実施の形態における選局及び録画制御方法を表すフローチャート
【図３】本発明の実施の形態における、番組を選局した場合の視聴装置と録画装置のコマンドデータの送信内容を表した図
【符号の説明】
【００２４】
１０１    視聴装置  
１０２、２０２    ユーザ操作部
１０３、２０３    制御部
１０４、２０４    コマンド入出力Ｉ／Ｆ
１０５    データ入力Ｉ／Ｆ
１０６、２０６    データ処理部
１０７、２０７    アンテナ
１０８、２０８    チューナ
１０９、２０９    外部入力
１１０、２１０    スイッチ
１１１    画面表示部
２０１    録画装置
２０５    データ出力Ｉ／Ｆ
２１１    ＨＤＤ／ＤＶＤ
３０１    コマンド用ケーブル
３０２    データ用ケーブル
４０１    選局もしくは録画に関する入力コードの受信を確認
４０２、５０３    選局コードであるかを確認
４０３、５０４    選局処理
４０４    録画装置に送信可能であるかを確認
４０５    選局コードもしくは録画コードを録画装置へ送信
５０１    選局もしくは録画コードであるかを確認
５０２    録画装置の状態がスタンバイであるかを確認
５０５    録画コードであるかを確認
５０６    電源起動処理
５０７    録画処理
【図１】
2011023773.tif 000003
【図２】
2011023773.tif 000004
【図３】
2011023773.tif 000005